(57)【特許請求の範囲】
【請求項１】
ヒンジ部で接続された第１容器半体と第２容器半体の開口部同士を組み合わせることで収容空間が形成される物品収容容器であって、
前記第１容器半体は、第１の有孔舌片および第２の有孔舌片を備え、
前記ヒンジ部と、前記第１の有孔舌片と、前記第２の有孔舌片とが、前記第１容器半体の開口部上面視において、当該開口部の周方向に１２０°間隔の略均等位置に設けられ、
前記第２容器半体は、
容器表面から突出して設けられた、前記第１の有孔舌片の孔部に係合する第１の係合突起、および、前記第２の有孔舌片の孔部に係合する第２の係合突起と、
前記開口部同士の組み合わせ時に前記第１の有孔舌片が位置する第１の平坦窪み部、および、前記第２の有孔舌片が位置する第２の平坦窪み部と、
を備え、
前記第１の係合突起および前記第２の係合突起は、前記開口部同士を組み合わせる際に、対応する有孔舌片を移動させて円滑な係合を促進させるための傾斜面を有する物品収容容器。
【請求項２】
請求項１において、
前記第２容器半体は、前記第１の平坦窪み部および前記第２の平坦窪み部それぞれの容器内面側にリブを備える物品収容容器。
【発明の詳細な説明】
【技術分野】
【０００１】
本発明は、物品収容容器に関する。
【背景技術】
【０００２】
「カプセルトイ」と呼ばれるカプセル容器に入った玩具等を販売する自動販売機が知られている。地域やメーカによって呼び名は異なるが「ガチャガチャ（登録商標）」「ガチャポン（登録商標）」「ガシャポン（登録商標）」などとも呼ばれる。消費者が、所定枚数の硬貨を投入して払出操作レバー或いは払出操作ダイヤルを回すと、自動販売機内のカプセル容器が攪拌されその内の一つが払い出される（例えば、特許文献１参照）。
【０００３】
こうした自動販売機に使用されるカプセル容器としては、ヒンジで連結された２つの半球ドーム状の容器半体を、ドーム開口端同士を突き合わせるように組み合わせ、留め具により係合させて球形や楕円球形の容器を形成するものが知られている（例えば、特許文献２参照）。
【先行技術文献】
【特許文献】
【０００４】
【特許文献１】特開２００４−１４５９０４号公報
【特許文献２】特開２０１１−２５５９１６号公報
【発明の概要】
【発明が解決しようとする課題】
【０００５】
カプセルトイを販売する自動販売機等に用いられる容器には、商品の運搬、補充、販売機内での攪拌など様々な場面で、容器を押し潰そうとする力が作用するため、容器には、そうした力にも耐えて不用意に容器が開かないような係合の強さが求められる。
【０００６】
本発明は、こうした課題に鑑みてなされたものであり、平時は容易に開かない、係合力の強い物品収容容器を実現することを目的とする。
【課題を解決するための手段】
【０００７】
本発明の物品収容容器は、ヒンジ部で接続された第１容器半体と第２容器半体の開口部同士を組み合わせることで収容空間が形成される物品収容容器であって、前記第１容器半体は、開口部における前記ヒンジ部の反対位置から等距離の位置に、第１の有孔舌片および第２の有孔舌片を備え、前記第２容器半体は、容器表面から突出して設けられた、前記第１の有孔舌片の孔部に係合する第１の係合突起、および、前記第２の有孔舌片の孔部に係合する第２の係合突起と、前記開口部同士の組み合わせ時に前記第１の有孔舌片が位置する第１の平坦窪み部、および、前記第２の有孔舌片が位置する第２の平坦窪み部と、を備え、前記第１の係合突起および前記第２の係合突起は、前記開口部同士を組み合わせる際に、対応する有孔舌片を移動させて円滑な係合を促進させるための傾斜面を有する。また、本発明の物品収容容器は、ヒンジ部で接続された第１容器半体と第２容器半体の開口部同士を組み合わせることで収容空間が形成される物品収容容器であって、前記第１容器半体は、第１の有孔舌片および第２の有孔舌片を備え、前記ヒンジ部と、前記第１の有孔舌片と、前記第２の有孔舌片とが、前記第１容器半体の開口部上面視において、当該開口部の周方向に１２０°間隔の略均等位置に設けられ、前記第２容器半体は、容器表面から突出して設けられた、前記第１の有孔舌片の孔部に係合する第１の係合突起、および、前記第２の有孔舌片の孔部に係合する第２の係合突起と、前記開口部同士の組み合わせ時に前記第１の有孔舌片が位置する第１の平坦窪み部、および、前記第２の有孔舌片が位置する第２の平坦窪み部と、を備え、前記第１の係合突起および前記第２の係合突起は、前記開口部同士を組み合わせる際に、対応する有孔舌片を移動させて円滑な係合を促進させるための傾斜面を有する。
【０００８】
また、本発明の物品収容容器において、前記第１容器半体の開口部上面視において、前記ヒンジ部と、前記第１の有孔舌片と、前記第２の有孔舌片とが、当該開口部の周方向に略均等配置されて構成されることが好ましい。
【０００９】
また、本発明の物品収容容器において、前記第２容器半体が、前記第１の平坦窪み部および前記第２の平坦窪み部それぞれの容器内面側にリブを備えることが好ましい。
【図面の簡単な説明】
【００１０】
【図１】物品収容容器を開いた状態の前方斜め上から見た斜視外観図。
【図２】物品収容容器を開いた状態の後方斜め上から見た斜視外観図。
【図３】物品収容容器を閉じた状態の前方斜め上から見た斜視外観図。
【図４】物品収容容器を閉じた状態の正面外観図。
【図５】物品収容容器の前後方向縦断面図（図４のＡ−Ａ断面図）。
【図６】物品収容容器の水平断面図（図５のＢ−Ｂ断面図）。
【図７】変形例の物品収容容器を開いた状態の前方斜め上から見た斜視外観図。
【図８】変形例の物品収容容器の前後方向縦断面図。
【図９】変形例の物品収容容器の水平断面図。
【発明を実施するための形態】
【００１１】
本発明を適用した物品収容容器について説明する。図１と図２は、物品収容容器を開いた状態の外観図であって、図１は前方斜め上から見た外観図、図２は後方斜め上から見た外観図に相当する。図３と図４は、物品収容容器を閉じた状態の外観図であって、図３は前方斜め上から見た外観図、図４は正面から見た外観図に相当する。図５と図６は、本実施形態における物品収容容器２の断面図であって、図５は容器の前後方向縦断面図（図４のＡ−Ａ断面図）、図６は容器の水平断面図（図５のＢ−Ｂ断面図）に相当する。
【００１２】
本実施形態の物品収容容器２は、ヒンジ部８で接続された第１容器半体４と第２容器半体６の開口部同士を組み合わせることで収容空間を形成する開閉自在な合成樹脂製のカプセル体である。具体的には、図１及び図２に示すように、物品収容容器２は、略半球ドーム型の第１容器半体４及び第２容器半体６を、それぞれ開口端部を上に向けた姿勢で並べ、柔軟で湾曲自在なヒンジ部８で連結させた一体成形により作ることができる。ヒンジ部８は、第１容器半体４の前部と第２容器半体６の後部とを連結する位置に、合成樹脂の厚さを局所的に薄くすることで形成されている。
【００１３】
尚、以降の説明において位置関係を説明する場合、第２容器半体６から見てヒンジ部８が設けられた側を後方、第２容器半体６の開口端の開口方向を上、として前後・左右・上下の位置関係を呼称する（各図中の３軸方向矢印を参照のこと）。
【００１４】
第１容器半体４と第２容器半体６の開口端部は略同半径を有しており、互いの開口端部同士を突き合わせて組み合わせると、図３及び図４に示すように、外観上は楕円球体を成し、内部に玩具（所謂「カプセルトイ」）等を収容する空間が形成される。形状の凹凸を理解し易くするために不透明体として図示しているが、実際の物品収容容器２は透明又は半透明な合成樹脂（例えば、ポリプロピレン等）により造られており、内部に収容された玩具等を透かし見ることができる。勿論、不透明であってもよい。
【００１５】
図１及び図２に示すように、物品収容容器２は、第１容器半体４と第２容器半体６との組み合わせの際に半球の芯を合わせ、組み合わせの位置決めをし易くするための構造としてインロー部１０を備える。本実施形態のインロー部１０は、第２容器半体６の開口端内周に沿って設けられた薄壁体である。インロー部１０の外径は、第１容器半体４の開口端内径より僅かに小さく設定されており、第１容器半体４を第２容器半体６に被せるように組み合わせる時に、インロー部１０が第１容器半体４の開口部内側に滑り込み摺接することで半球の芯合わせを助ける。
【００１６】
また、図３及び図４に示すように、本実施形態の物品収容容器２は、孔に突起を係合させることで容器を閉じた状態を維持する係合構造部１２を２つ備える。
【００１７】
具体的には、図１及び図２に示すように、第１容器半体４は、開口端におけるヒンジ部８の反対位置（前端）から等距離の位置に第１有孔舌片２１および第２有孔舌片２２を備えている。第１有孔舌片２１および第２有孔舌片２２それ自体は、開口端面から開口方向へ向けて延設されるように形成され、その付け根部分には、舌片の延設立面と開口端面とを斜面２９で繋ぐように成形されている。
【００１８】
そして、図６に示すように、第１有孔舌片２１（係合構造部１２）・第２有孔舌片２２（係合構造部１２）・ヒンジ部８の３つは、第１容器半体４を開口部側から見れば開口部周りに約１２０°間隔の略均等位置に設けられている。なお、図中の断面ハッチングは、本来第１容器半体４と第２容器半体６とは一体であり同種であるべきであるが、両者の嵌合構造が理解しやすいように異なる種類のハッチングを施している。
【００１９】
図１及び図２に示すように、第２容器半体６は、容器表面から突出して設けられた、第１有孔舌片２１の孔部２１ｈに係合する第１係合突起３１と、第２有孔舌片２２の孔部２２ｈに係合する第２係合突起３２とを備える。当然のことながら、第１係合突起３１・第２係合突起３２・ヒンジ部８の３つは、第２容器半体６を開口部側から見れば開口部周りに約１２０°間隔の略均等位置に設けられている。
【００２０】
本実施の形態の物品収容容器は、有孔舌片の孔部に係合突起が係合する係合構造部が２カ所設けられている。よって、平時は容易に開かない、係合力の強い物品収容容器を実現することができる。また、第１係合突起３１・第２係合突起３２・ヒンジ部８の３つが、開口部周りに略均等位置に配置されることにより、係合力の支持位置をバランス良く配置できるので、より係合力を安定させ強固なものとすることができる。
【００２１】
第１係合突起３１および第２係合突起３２は、第１容器半体４と第２容器半体６の開口部同士を組み合わせる際に、対応する有孔舌片を移動させて円滑な係合を促進させるための傾斜面３３をそれぞれ備える。
【００２２】
また、第２容器半体６は、開口部同士の組み合わせ時に第１有孔舌片２１が位置する第１平坦窪み部３５と、第２有孔舌片２２が位置する第２平坦窪み部３６とを備える。そして、第１平坦窪み部３５及び第２平坦窪み部３６は、第２容器半体６の開口端面側に開口方向へ拡開する斜面３７を備え、容器を閉じる際に対応する有孔舌片を円滑に係合させる。
【００２３】
更に、図２及び図５に示すように、第２容器半体６は、第１平坦窪み部３５及び第２平坦窪み部３６の裏に相当する容器内面側に開口方向に沿ったリブ３８を備えている。リブ３８により、係合構造部１２まわりの剛性が高められ、物品収容容器２に外力が生じても容易に係合構造部１２が撓んだり歪んだりして係合が解かれないようにしている。なお、図５の断面ハッチングは、図６のそれと同様に、本来第１容器半体４と第２容器半体６とは一体であり同種であるべきであるが、両者の嵌合構造が理解しやすいように異なる種類のハッチングを施している。
【００２４】
以上、本実施形態の物品収容容器２は、複数の係合構造部１２を備えることにより、第１容器半体４と第２容器半体６とが閉じた状態を、係合構造部が１カ所であるタイプのカプセル容器に比べてより強力に維持できる。すなわち、平時は容易に開かない、係合力の強い物品収容容器を実現することができる。
【００２５】
なお、本発明の実施形態はこれに限定されるものではなく、適宜構成要素の追加・省略・変更を施すことができる。例えば、係合構造部１２は３箇所以上設ける構成も可能である。例えば、上記実施形態におけるヒンジ部８の位置にもう一つ係合構造部１２が設けられるならば、ヒンジ部８を省略する構成としてもよい。
【００２６】
また、図７〜図９に示すように、更に第１容器半体４や第２容器半体６それぞれの半球の底に相当する内面に、蜘蛛の巣状のリブ群４０，４２を追加するとしてもよい。
【００２７】
具体的には、リブ群４０，４２は、同心円状に配置された直径の異なる複数の環状リブ４４と、それら環状リブ４４を環の径方向に連結する複数の直線状リブ４６と、容器半体に開けられた開口部である通気口７の外周を補強する孔部補強リブ４８とを有する。環状リブ４４や直線状リブ４６、孔部補強リブ４８の数は、物品収容容器２の大きさや、第１容器半体４や第２容器半体６の肉厚、素材、通気口７の数や配置位置などに応じて要求する強度が得られるように適宜設定可能である。第１容器半体４のリブ群４０では、例えば、図９に示すように、３つの環状リブ４４ａ〜４４ｃと、その中心を通る８本の直線状リブ４６ａ〜４６ｈと、４つの通気口７それぞれの周囲に孔部補強リブ４８と、が一体に設けられている。
【００２８】
リブ群４０，４２を設けることで第１容器半体４や第２容器半体６の剛性を高めることができる。なお、容器半体の剛性をより高めるために、直径の異なる環状リブ４４を等間隔に設け、直線状リブ４６を環状リブ４４の円周方向に等間隔に配置して、環状リブ４４の中心位置で交わり連結するように設けることが好ましい。環状リブ４４と直線状リブ４６との交点位置に通気口７を設けることにより、外力による容器半体の歪みを吸収し、物品収容容器２の強度をさらに高めることができる。なお、通気口７は、幼児等が誤って飲み込んだ場合の空気孔の役割を果たすこともできる。  また、図７〜図９の例では第１容器半体４や第２容器半体６の両方に蜘蛛の巣状のリブ群４０、４２を設けているが、片方の容器半体にのみ設けてもよい。
【符号の説明】
【００２９】
２…物品収容容器
４…第１容器半体
６…第２容器半体
７…通気口
８…ヒンジ部
１０…インロー部
１２…係合構造部
２１…第１有孔舌片
２１ｈ…孔部
２２…第２有孔舌片
２２ｈ…孔部
２９…斜面
３１…第１係合突起
３２…第２係合突起
３３…傾斜面
３５…第１平坦窪み部
３６…第２平坦窪み部
３７…斜面
３８…リブ
４０，４２…リブ群
４４…環状リブ
４６…直線状リブ
４８…孔部補強リブ
【図１】
0005992374.tif 000002
【図２】
0005992374.tif 000003
【図３】
0005992374.tif 000004
【図４】
0005992374.tif 000005
【図５】
0005992374.tif 000006
【図６】
0005992374.tif 000007
【図７】
0005992374.tif 000008
【図８】
0005992374.tif 000009
【図９】
0005992374.tif 000010